(57)【要約】【課題】球状食品の焼き上げ時間の短縮を図ることができる球状食品焼き上げ用電気加熱式鉄板装置を提供することを課題としている。平面状の上面（２ａ）及び下面（２ｂ）を有しこれらの上面（２ａ）と下面（２ｂ）との間が所定の厚さとなるように形成された鋳鉄製の鉄板部（２）と、この鉄板部（２）の下面に伝熱面（３ａ）を密着させるようにして鉄板部（２）と結合される電気加熱部（３）とを備え、鉄板部（２）は、球状食品（たこ焼）（Ｗ）を焼き上げるための凹部（２１）が上面（２ａ）から凹状に複数形成され、電気加熱部（３）は、伝熱面（３ａ）が鉄板部（２）の下面（２ａ）に略合致する広がりを有するように形成された構成になっている。【選択図】図１
2018203458.tif 000002
【特許請求の範囲】
【請求項１】
平面状の上面及び下面を有しこれらの上面と下面との間が所定の厚さとなるように形成された鋳鉄製の鉄板部と、この鉄板部の前記下面に伝熱面を密着させるようにして当該鉄板部と結合される電気加熱部とを備えてなり、  前記鉄板部は、球状食品を焼き上げるための凹部が前記上面から凹状に複数形成されており、  前記電気加熱部は、前記伝熱面が前記鉄板部の前記下面に略合致する広がりを有するように形成されていることを特徴とする球状食品焼き上げ用電気加熱式鉄板装置。
【請求項２】
前記鉄板部は、前記下面が機械加工により平面状に形成されていることを特徴とする請求項１に記載の球状食品焼き上げ用電気加熱式鉄板装置。
【請求項３】
前記鉄板部は、前記上面が平面視で長方形状に形成されており、  前記凹部は、前記上面の長手方向に所定の間隔をおいて複数設けられていると共に、当該上面の幅方向に所定の間隔をおいて複数設けられており、  前記電気加熱部は、前記鉄板部と結合された状態において、当該鉄板部の前記長手方向に延在し、かつ当該鉄板部の前記幅方向に複数列となるように配置された状態となる発熱部を有する電気ヒータを備えていることを特徴とする請求項１又は２に記載の球状食品焼き上げ用電気加熱式鉄板装置。
【請求項４】
前記電気加熱部は、鋳鉄に比して熱伝導率の大きな素材によって形成され互いに重ね合わされた状態となる上板部及び下板部を有すると共に、電気ヒータを有しており、  前記上板部は、その上側の面が前記伝熱面になっており、  前記電気ヒータは、前記上板部及び下板部の少なくとも一方の合せ面に形成された溝に発熱部が嵌め込まれるようになっていることを特徴とする請求項１〜３の何れかに記載の球状食品焼き上げ用電気加熱式鉄板装置。
【請求項５】
少なくとも前記溝と前記発熱部との間の隙間に熱伝導グリスが充填されていることを特徴とする請求項４に記載の球状食品焼き上げ用電気加熱式鉄板装置。
【請求項６】
前記鉄板部の前記下面と、前記電気加熱部の前記伝熱面との間に熱伝導グリスを介在させたことを特徴とする請求項１〜５の何れかに記載の球状食品焼き上げ用電気加熱式鉄板装置。
【請求項７】
前記鉄板部は、前記上面における長手方向の一端側の縁部に沿って帯状に延在し当該上面より一段高く形成された一端帯状枠部を有していると共に、当該上面における幅方向の各側縁部に沿って帯状に延在し当該上面より一段高く形成された側縁帯状枠部を有しており、  前記一端帯状枠部及び前記各側縁帯状枠部には、それぞれの最外縁部に沿って下方に突出する凸条部が設けられており、  前記各凸条部は、下方に向けて漸次薄くなるように形成されていることを特徴とする請求項１〜６の何れかに記載の球状食品焼き上げ用電気加熱式鉄板装置。
【請求項８】
前記鉄板部及び前記電気加熱部は、当該電気加熱部が鉄板部に取り付けられた状態において所定の軸回りの回転振動によって加振されるようになっており、  前記各凹部は、半球未満の球冠状の曲面によって形成された底面部及びこの底面部の上縁から前記鉄板部の上面に向けて拡径するように形成された内周面部を有し、かつ前記鉄板部の前記上面から前記底面部の最下部までの深さが当該底面部の曲率直径の５／１０〜９／１０に形成されていると共に、前記底面部の曲率中心を通り前記鉄板部の前記上面と平行な面における直径が前記底面部の曲率直径より大きく形成されていることを特徴とする請求項１〜７の何れかに記載の球状食品焼き上げ用電気加熱式鉄板装置。
【発明の詳細な説明】
【技術分野】
【０００１】  本発明は、球状食品を焼き上げるための鉄板部を有する球状食品焼き上げ用電気加熱式鉄板装置に関する。
【背景技術】
【０００２】  この種の球状食品焼き上げ用電気加熱式鉄板装置としては、例えば平板部及びその平板部に対して湾曲形成された複数の凹状板部を有し、これらの平板部及び凹状板部の全体が一定の厚さ（例えば凹状板部内の深さの１／５程度の厚さ）に形成された鉄板と、その鉄板の下方に所定の間隔をおいて設置された電気ヒータとを有し、この電気ヒータによって鉄板を下方から加熱することによって、各凹状板部内に挿入した球状食品としてのたこ焼を焼き上げるように構成されたものが知られている（例えば引用文献１）。【０００３】  上記のように構成された球状食品焼き上げ用電気加熱式鉄板装置においては、電気ヒータによって鉄板を加熱し、当該鉄板が球状食品の焼き上げに適した温度に達した後に、各凹状板部内にその球状食品のタネを挿入することになる。この場合、各凹状板部の周囲がその深さに比べて極めて薄い一定の厚さのもので形成されていることから、その各凹状板部を焼け上げに適した温度まで比較的短時間で上昇させることができる。【０００４】  しかしながら、上記球状食品焼き上げ用電気加熱式鉄板装置においては、凹状板部の板厚が薄いことから、当該凹状板部の熱容量が小さなものとなっているという欠点がある。このため、各凹状板部内に球状食品のタネとして例えばたこ焼のタネ（薄力粉等を水に溶かした生地及びタコ等の具を有するもの）を入れると、当該鉄板部の温度が急激に下がることになる。特に、たこ焼の場合には、薄力粉のグルテンの成長を抑えることで外周部のサクサク感を高めることが好ましいことから、そのタネを低温で保存しておくことになるので、焼き上げの初期において凹状板部の温度が著しく低下することになる。【０００５】  このため、球状食品の焼き上げに多くの時間がかかるという問題があった。
【先行技術文献】
【特許文献】
【０００６】
【特許文献１】特開２００５−２５３８６８号公報
【発明の概要】
【発明が解決しようとする課題】
【０００７】  本発明は、上記事情に鑑みてなされたものであり、球状食品の焼き上げ時間の短縮を図ることのできる球状食品焼き上げ用電気加熱式鉄板装置を提供することを課題としている。
【課題を解決するための手段】
【０００８】  上記課題を解決するために、請求項１に記載の発明は、平面状の上面及び下面を有しこれらの上面と下面との間が所定の厚さとなるように形成された鋳鉄製の鉄板部と、この鉄板部の前記下面に伝熱面を密着させるようにして当該鉄板部と結合される電気加熱部とを備えてなり、前記鉄板部は、球状食品を焼き上げるための凹部が前記上面から凹状に複数形成されており、前記電気加熱部は、前記伝熱面が前記鉄板部の前記下面に略合致する広がりを有するように形成されていることを特徴としている。【０００９】  請求項２に記載の発明は、請求項１に記載の発明において、前記鉄板部は、前記下面が機械加工により平面状に形成されていることを特徴としている。【００１０】  請求項３に記載の発明は、請求項１又は２に記載の発明において、前記鉄板部は、前記上面が平面視で長方形状に形成されており、前記凹部は、前記上面の長手方向に所定の間隔をおいて複数設けられていると共に、当該上面の幅方向に所定の間隔をおいて複数設けられており、前記電気加熱部は、前記鉄板部と結合された状態において、当該鉄板部の前記長手方向に延在し、かつ当該鉄板部の前記幅方向に複数列となるように配置された状態となる発熱部を有する電気ヒータを備えていることを特徴としている。【００１１】  請求項４に記載の発明は、請求項１〜３の何れかに記載の発明において、前記電気加熱部は、鋳鉄に比して熱伝導率の大きな素材によって形成され互いに重ね合わされた状態となる上板部及び下板部を有すると共に、電気ヒータを有しており、前記上板部は、その上側の面が前記伝熱面になっており、前記電気ヒータは、前記上板部及び下板部の少なくとも一方の合せ面に形成された溝に発熱部が嵌め込まれるようになっていることを特徴としている。【００１２】  請求項５に記載の発明は、請求項４に記載の発明において、少なくとも前記溝と前記発熱部との間の隙間に熱伝導グリスが充填されていることを特徴としている。【００１３】  請求項６に記載の発明は、請求項１〜５の何れかに記載の発明において、前記鉄板部の前記下面と、前記電気加熱部の前記伝熱面との間に熱伝導グリスを介在させたことを特徴としている。【００１４】  請求項７に記載の発明は、請求項１〜６の何れかに記載の発明において、前記鉄板部は、前記上面における長手方向の一端側の縁部に沿って帯状に延在し当該上面より一段高く形成された一端帯状枠部を有していると共に、当該上面における幅方向の各側縁部に沿って帯状に延在し当該上面より一段高く形成された側縁帯状枠部を有しており、前記一端帯状枠部及び前記各側縁帯状枠部には、それぞれの最外縁部に沿って下方に突出する凸条部が設けられており、前記各凸条部は、下方に向けて漸次薄くなるように形成されていることを特徴としている。【００１５】  請求項８に記載の発明は、請求項１〜７の何れかに記載の発明において、前記鉄板部及び前記電気加熱部は、当該電気加熱部が鉄板部に取り付けられた状態において所定の軸回りの回転振動によって加振されるようになっており、前記各凹部は、半球未満の球冠状の曲面によって形成された底面部及びこの底面部の上縁から前記鉄板部の上面に向けて拡径するように形成された内周面部を有し��かつ前記鉄板部の前記上面から前記底面部の最下部までの深さが当該底面部の曲率直径の５／１０〜９／１０に形成されていると共に、前記底面部の曲率中心を通り前記鉄板部の前記上面と平行な面における直径が前記底面部の曲率直径より大きく形成されていることを特徴としている。
【発明の効果】
【００１６】  請求項１に記載の発明によれば、上面から下面までの厚さが所定の厚さに形成された鋳鉄製の鉄板部を備え、鉄板部の上面に球状食品を焼き上げるための複数の凹部が形成されているので、各凹部の周囲には鋳鉄が隙間なく存在することになる。このため、凹部の周囲の重量が増大し、当該凹部の周囲の熱容量が大きな状態になる。因みに、熱容量は、比熱×重量によって表すことができ、温度を１℃上昇させるための熱量に相当する。このため、凹部の周囲の部分は、熱容量の増大により、温度が上昇しにくくなるが、一旦温度が上昇した場合にはその温度が低下しにくくなる。【００１７】  従って、球状食品の焼き上げの初期において、当該凹部の周囲における鉄板部の温度の低下を抑えることができるので、球状食品の焼き上げ時間の短縮を図ることができる。特に、球状食品のタネとして例えば水分を多く含みかつ低温で保持することが要求されるたこ焼のタネを凹部に入れた場合でも、当該凹部の周囲の温度低下を極力抑えることができ、そのたこ焼の焼き上げ時間の短縮を図ることができる。【００１８】  しかも、鉄板部の下面には伝熱面を密着させるようにして電気加熱部が結合されており、当該電気加熱部で発生した熱を鋳鉄の熱伝導を利用して凹部に直接的に伝達することができ、温度が低下した凹部を元の温度まで短時間で上昇させることができるので、この点からも球状食品の焼き上げ時間の短縮を図ることができる。【００１９】  そして、このように焼き上げ時間の短縮を図ることができることから、グルテンの成長を抑えることができ、球状食品としての例えばたこ焼等について、外周部のサクサク感の優れたものを得ることができる。【００２０】  請求項２に記載の発明によれば、鉄板部は鋳鉄による鋳肌面を有するものであるが、下面が機械加工により平面状に形成されているので、その下面と電気加熱部の伝熱面との接触面積の向上を図ることができる。即ち、電気加熱部から鉄板部へ移動する熱量の増大を図ることができるので、凹部の周囲を効率よく加熱することができる。従って、焼き上げの初期に低下した凹部の周囲温度を短時間で上昇させることができる。よって、この点からも球状食品の焼き上げ時間の短縮を図ることができる。【００２１】  請求項３に記載の発明によれば、各凹部が鉄板部の上面の長手方向に所定の間隔をおいて複数設けられ、かつ当該上面の幅方向に所定の間隔をおいて複数設けられており、電気加熱部には鉄板部の上面の長手方向に延在し、かつ当該鉄板部の上面の幅方向に複数列となるように配置された状態となる発熱部を有する電気ヒータを備えているので、鉄板部における各凹部に対応する部分をより均等に効率よく加熱することができる。従って、球状食品を短時間で焼き上げることができると共に、各凹部で焼き上げられる球状食品の品質の安定化を図ることができる。【００２２】  請求項４に記載の発明によれば、鋳鉄に比して熱伝導率の大きな素材によって形成された上板部及び下板部の少なくとも一方の合せ面に形成された溝に電気ヒータの発熱部が嵌め込まれるようになっているので、当該電気ヒータで発生した熱の全てを上板部及び下板部に確実に伝達することができると共に、当該熱を鉄板部に熱伝導により伝達��ることができる。従って、電気ヒータで発生した熱を効率よく利用することができるので、鉄板部の凹部の周囲を短時間で加熱することができる。【００２３】  また、互いに重ね合わされた状態の上板部と下板部とを分割することにより、溝に嵌め込まれた電気ヒータを目視等で容易に確認することができると共に、当該溝に対して電気ヒータを脱着することにより容易に当該電気ヒータの交換を行うことができる。従って、メンテナンス性の向上を図ることができる。【００２４】  請求項５に記載の発明によれば、少なくとも溝と発熱部との間の隙間に熱伝導グリスが充填されているので、電気ヒータの熱をより効率よく上板部及び下板部に伝達することができる。従って、鉄板部の凹部の周囲を更に効率よく短時間で加熱することができる。【００２５】  請求項６に記載の発明によれば、鉄板部の下面と、電気加熱部の伝熱面との間に熱伝導グリスを介在させているので、電気加熱部から鉄板部への熱伝導効率の向上を図ることができる。即ち、鉄板部の凹部の周囲を更に効率よく短時間で加熱することができる。【００２６】  請求項７に記載の発明によれば、鉄板部の上面における長手方向の一端側の縁部に沿って帯状に延在し当該上面より一段高く形成された一端帯状枠部を有し、当該鉄板部の上面における幅方向の各側縁部に沿って帯状に延在し当該上面より一段高く形成された側縁帯状枠部を有しているので、球状食品のタネが各凹部から上面に溢れ出たような状態となっても、当該球状食品のタネが鉄板部の上面からその長手方向の一端側や、幅方向の各側縁側にこぼれ落ちるのを防止することができる。【００２７】  しかも、鉄板部の上面における長手方向の一端側とは反対の他端側からは、球状食品の焼き上げの際に生じた粕を当該上面に沿ってスムーズに排出することができる。この場合、鉄板部の上面から各側縁帯状枠部が立ち上がった状態になるので、その立上り部をガイドにしてヘラ等を移動することにより、球状食品の粕を当該上面からその外方にきれいに掃き出すように排出することができる。【００２８】  また、球状食品の焼き上げの際に凹部や上面にひかれた油が次第に一端帯状枠部や、各側縁帯状枠部を乗り越えてそれらの外方に浸み出すように移動することがあるが、当該一端帯状枠部及び各側縁帯状枠部のそれぞれの最外縁部に沿って下方に突出する凸条部が設けられているので、上記油が鉄板部や電気加熱部の側方の外周面に回り込むように移動するのを防止することができる。従って、鉄板部及び電気加熱部の側方の外周面等が油で汚れるのを防止することができる。【００２９】  しかも、各凸条部が下方に向けて漸次薄くなるように形成されているので、各凸条部の下縁に回り込んだ油を当該縁部から比較的容易に切り離して、当該各凸条部の直下位置に落下させることができる。このため、各凸条部の直下位置に例えば油受けを設けておくことにより、その落下した油を確実に回収することができ、当該落下した油によって周囲が汚れるのを防止することができる。【００３０】  請求項８に記載の発明によれば、鉄板部及び電気加熱部が一体的に結合された状態で所定の軸回りの回転振動によって加振されるようになっており、各凹部は、半球未満の球冠状の曲面によ���て形成された底面部及びこの底面部の上縁から鉄板部の上面に向けて拡径するように形成された内周面部を有し、かつ鉄板部の上面から底面部の最下部までの深さが当該底面部の曲率直径の６／１０〜９／１０に形成されていると共に、当該底面部の曲率中心を通り鉄板部の上面に平行な面における直径が底面部の曲率直径より大きく形成されているので、凹部内に挿入された球状食品のタネはその外周部が徐々に焼き固まるのに応じて、底面部の曲率中心回りに回転し始めることになる。【００３１】  即ち、鉄板部が所定の軸回りの回転振動を受けることにより、各凹部もその底面部の曲率中心回りの振動変位を受けることになるので、当該凹部に挿入された球状食品のタネには底面部の曲率中心を中心として回転するような力を受けることになる。このため、球状食品のタネはその外周部が徐々に焼き固まるに連れて、底面部の曲率中心回りに回転し、当該底面部の曲率直径に対応するような径の球形状に焼き上げられることになる。【００３２】  この場合、凹部における鉄板部の上面から底面部の最下部までの深さが当該底面部の曲率直径の６／１０〜９／１０に形成されているので、焼き上げられたたこ焼の１／１０〜４／１０程度が鉄板部の上面から突出した状態になる。このため、その突出した部分を串で刺す等により、焼き上げ後の球状食品を凹部から容易に取り出すことができる。【００３３】  しかも、底面部の曲率中心を通り鉄板部の上面と平行な面における凹部の直径が底面部の曲率直径より大きく形成されていると共に、当該底面部の上側の内周面部が鉄板部の上面に向かって拡径するように形成されているので、球状食品を凹部から容易に取り出することができる。
【図面の簡単な説明】
【００３４】
【図１】本発明の一実施形態として示した球状食品焼き上げ用電気加熱式鉄板装置であって、（ａ）は平面図であり、（ｂ）は正面図であり、（ｃ）は右側面図である。
【図２】同球状食品焼き上げ用電気加熱式鉄板装置における鉄板部を示す図であって、（ａ）は平面図であり、（ｂ）は底面図である。
【図３】同球状食品焼き上げ用電気加熱式鉄板装置における鉄板部を示す図であって、（ａ）は正面図であり、（ｂ）は左側面図であり、（ｃ）は右側面図であり、（ｄ）は凹部の拡大断面図であり、（ｅ）は温度センサの取付部を示す拡大断面図であり、（ｆ）は（ｅ）のｆ矢視図であり、（ｇ）は（ｃ）のｇ部を示す拡大図である。
【図４】同球状食品焼き上げ用電気加熱式鉄板装置における電気加熱部を示す図であって、（ａ）は上板部の平面図であり、（ｂ）は（ａ）のｂ−ｂ線に沿う断面図であり、（ｃ）は下板部の平面図であり、（ｄ）は（ｃ）のｄ−ｄ線に沿う断面図である。
【図５】同球状食品焼き上げ用電気加熱式鉄板装置における電気加熱部を示す図であって、（ａ）はシーズヒータの正面図であり、（ｂ）は同シーズヒータの底面図であり、（ｃ）は下板部の各溝にシーズヒータを組み込んだ状態を示す平面図であり、（ｄ）は（ｃ）のｄ−ｄ線に沿う断面図である。
【図６】同球状食品焼き上げ用電気加熱式鉄板装置の電気加熱部の他の例を示す図であって、（ａ）は上板部の底面図であり、（ｂ）は下板部の平面図であり、（ｃ）は上板部の溝にシーズヒータを組み込んで、当該上板部の下側に下板部を取り付けた状態を示す断面図である。
【図７】本発明の一実施形態における球状食品焼き上げ用電気加熱式鉄板装置を稼働させる球状食品焼き上げ機本体を左側から側面視した状態を概念的に示す図である。
【図８】上記球状食品焼き上げ機本体及びその内部を正面視した状態を概念的に示す図である。
【図９】上記球状食品焼き上げ機本体及びその内部を平面視した状態を概念的に示す図である。
【図１０】上記球状食品焼き上げ機本体及びその内部を右側から側面視した状態を概念的に示す図である。
【発明を実施するための形態】
【００３５】  本発明の一実施形態として示した球状食品焼き上げ用電気加熱式鉄板装置について図面を参照しながら詳細に説明する。
【００３６】  この実施形態で示す球状食品焼き上げ用電気加熱式鉄板装置１は、図１〜図５に示すように、鉄板部２と、電気加熱部３とをボルトＢで一体的に結合したもので構成されている。
【００３７】  鉄板部２は、図１〜図３に示すように、平面状に形成された上面２ａから同じく平面状に形成された下面２ｂまでの厚さが所定の寸法（例えば４０〜６０ｍｍ）の鋳鉄（普通鋳鉄としてのねずみ鋳鉄例えばＪＩＳ ＦＤ２００）製のもので形成されている。上面２ａは、図１（ａ）及び図２（ａ）に示すように、平面視で長方形の平面状に形成されており、その所定の位置に、球状食品としてのたこ焼Ｗ（図１（ｂ）参照）を焼き上げるための複数の凹部２１が形成されている。上面２ａ及び凹部２１は、鋳肌面によって形成されており、その表面粗さはＲａ１０程度となっている。但し、下面２ｂは、機械加工により上面２ａと平行な平面状に形成されている。
【００３８】  凹部２１は、上面２ａの長手方向に所定の間隔をおいて一列をなすように複数（この例では８個）設けられていると共に、当該上面２ａの幅方向に所定の間隔をおいて複数列（この例では４列）設けられている。
【００３９】  一方、電気加熱部３は、その上側の伝熱面３ａを鉄板部２の下面２ｂに密着させるようにして、当該鉄板部２にボルトＢで結合されるようになっている。伝熱面３ａは、図４に示すように、鉄板部２の下面２ｂ（図２（ｂ）参照）に合致するような広がりを有し、かつ当該下面２ｂと密接するように平面状に形成されている。
【００４０】  また、電気加熱部３は、図１、図４及び図５に示すように、当該鉄板部２を加熱する電気ヒータ３１を有するものとなっている。また、電気加熱部３は、互いに重ね合わされた状態で結合される上板部３２及び下板部３３を有しており、その上板部３２の上面が伝熱面３ａになっている。
【００４１】  上板部３２及び下板部３３は、鋳鉄に比して熱伝導率の大きな素材としてのアルミニウムの冷間圧延板を用いることで、平面度及び表面粗さが優れ、かつ熱伝導性の優れたものとなっている。そして、上板部３２の下面及び下板部３３の上面は、それぞれ互いに重ね合わされた状態で密接する平面状の合せ面３２ａ、３３ａとなっている。
【００４２】  この場合、下板部３３の合せ面３３ａには、電気ヒータ３１を嵌め込むための溝３３１が複数（この例では３つ）設けられている。各溝３３１は、断面が矩形状の凹状に形成されており、下板部３３の長手方向（電気加熱部３が鉄板部２に取り付けられた状態における当該鉄板部２の上面２ａの長手方向と同じ方向）に長い形状の環状のもので形成されている。
【００４３】  即ち、各溝３３１は、図４（ｃ）に示すように、下板部３３の長手方向に延在する互いに平行な直線溝部３３１ａと、これらの直線溝部３３１ａの長手方向の各端部を接続する半円状の曲線溝部３３1ｂ、３３１ｂとによって長環状に形成されている。このように形成された各溝３３1は、下板部３３の幅方向に一定の間隔をおいて３つ設けられている。これにより、下板部３３の長手方向に延在する６本の直線溝部３３１ａが当該下板部３３の幅方向に所定の間隔をおいて平行に配置された状態になっている。
【００４４】  また、下板部３３には、各溝３３1における一方の直線溝部３３１ａの長手方向の中央部分に、当該各溝３３1に嵌め込まれた電気ヒータ３１の各電気端子部３１ｃ（図５（ａ）参照）を当該溝３３1から下板部３３の下方に導くための一対の貫通孔３３ｂ、３３ｂが形成されている。各貫通孔３３ｂは、直線溝部３３１ａと同一の幅で、かつ当該直線溝部３３１ａの延在する方向に長い長円形状に形成されている。
【００４５】  電気ヒータ３１は、図５に示すように、丸棒状のもの形成されており、その発熱部３１ａが溝３３1に嵌るように長円形状に延在するように形成され、両端部における非発熱部３１ｂ、３１ｂが溝３３1から各貫通孔３３ｂを介して下板部３３の下方に突出するように形成され、非発熱部３１ｂ、３１ｂの先端部に電気端子部３１ｃ、３１ｃが設けられている。非発熱部３１ｂ、３１ｂは、発熱部３１ａに対して直角に屈曲形成されている。なお、電気ヒータ３１は、発熱部３１ａ及び各非発熱部３１ｂの外周部をステンレス鋼管で構成したシーズヒータが用いられている。
【００４６】  また、上板部３２と下板部３３とは、皿ネジ（図示せず）によって互いに結合されるようになっている。即ち、上板部３２には、図４（ａ）及び（ｂ）に示すように、その伝熱面３ａ側から皿ネジを挿入するための皿ネジ挿入孔３２ｂが複数（この例では９個）所定の間隔をおいて形成されている。皿ネジ挿入孔３２ｂは、伝熱面３ａ側に加工された皿穴に、皿ネジの頭部を収容することにより、当該頭部が伝熱面３ａから突出するのを防止するようになっている。
【００４７】  一方、下板部３３には、図４（ｃ）及び（ｄ）に示すように、上板部３２の各皿ネジ挿入孔３２ｂに対応する位置に、皿ネジをねじ込むためのネジ孔３３ｃが形成されている。なお、皿ネジ挿入孔３２ｂ及びネジ孔３３ｃが、各溝３３1から外れた位置に形成されていることはいうまでもない。
【００４８】  このように構成された上板部３２と下板部３３とは、溝３３1とこれに嵌合した電気ヒータ３１の発熱部３１ａとの間の隙間部分や、上板部３２の合せ面３２ａと発熱部３１ａとの間の隙間部分に、熱伝導グリスを充填した状態で、上記各皿ネジによって、結合されるようになっている。
【００４９】  上記のように電気ヒータ３１を有する電気加熱部３は、図１（ｂ）、（ｃ）に示すように、ボルトＢで鉄板部２に固定されるようになっている。
【００５０】  この場合、上板部３２及び下板部３３には、図４に示すように、当該上板部３２及び下板部３３における同一の位置を貫通するように、ボルトＢの挿入孔３２ｃ、３３ｄが複数（この例では上板部３２及び下板部３３のそれぞれにおいて２０個）形成されている。これらの挿入孔３２ｃ、３３ｄについても、各溝３３1、各皿ネジ挿入孔３２ｂ及び各ネジ孔３３ｃから外れた位置に形成されていることはいうまでもない。
【００５１】  また、鉄板部２の下面２ｂには、図２に示すように、電気加熱部３における各ボルトＢの挿入孔３２ｂ、３３ｄに対応する位置に、当該ボルトＢをねじ込むためのネジ孔２ｃが形成されている。
【００５２】  このように構成された鉄板部２と電気加熱部３とは、図１に示すように、その鉄板部２の下面２ｂと、電気加熱部３の伝熱面３ａとの間に熱伝導グリスを介在させた上で、ボルトＢによって、結合されるようになっている。
【００５３】  また、鉄板部２は、図１〜３に示すように、上面２ａにおける長手方向の一端側の縁部に沿って帯状に延在し当該上面２ａより一段高く形成された一端帯状枠部２２ａを有していると共に、当該上面２ａにおける幅方向の各側縁部に沿って帯状に延在し当該上面２ａより一段高く形成された側縁帯状枠部２２ｂ、２２ｂを有している。
【００５４】  一端帯状枠部２２ａ及び各側縁帯状枠部２２ｂには、図３（ｇ）に示すように、それぞれの最外縁部に沿って下方に突出する凸条部２２ｃが設けられている。各凸条部２２ｃは、下方に向けて漸次薄くなるように形成されている。これらの一端帯状枠部２２ａ、各側縁帯状枠部２２ｂ及び突出する凸条部２２ｃについても、鉄板部２として鋳鉄によって一体的に形成されており、その表面がＲａ１０程度の表面粗さの鋳肌面によって形成されている。
【００５５】  更に、鉄板部２及び電気加熱部３は、ボルトＢによって一体的に結合された状態において、所定の軸回りの回転振動を受けることで加振されるようになっている。即ち、鉄板部２及び電気加熱部３は、図３（ｄ）に示すように、例えば偏荷重４１を電動モータ（図示せず）で所定の軸４２回りに回転駆動することで回転振動を発生させる加振装置４によって、その軸４２回りの回転振動を受けるようになっている。
【００５６】  また、各凹部２１は、同じく図３（ｄ）に示すように、半球未満の球冠状の曲面によって形成された底面部２１ａと、この底面部２１ａの上縁から鉄板部２の上面２ａに向けて所定の角度で漸次拡径するテーパ面状の第１の内周面部２１ｂと、この第１の内周面部２１ｂの上縁から鉄板部２の上面２ａに向けて更に大きな角度で漸次拡径するテーパ面状の第２の内周面部２１ｃとを有するように形成されている。
【００５７】  更に、各凹部２１は、鉄板部２の上面２ａから底面部２１ａの最下部までの深さＨが当該底面部２１ａの曲率直径Ｄ１の６／１０〜９／１０に形成されていると共に、底面部２１ａの曲率中心Ｃを通り鉄板部２の上面２ａと平行な面Ｐにおける直径Ｄ２が底面部２１ａの曲率直径Ｄ１より大きなもので形成されている。
【００５８】  また更に、鉄板部２には、図１〜図３に示すように、温度測定孔２３が形成されている。温度測定孔２３は、鉄板部２における長手方向の一端側の外周面における当該鉄板部２の幅方向の中央部であって、中央寄りの二つの凹部２１の底面部２１ａ間の中央部に位置するように設けられている。この温度測定孔２３は、図３（ｅ）、（ｆ）に示すように、内方に向かって漸次縮径されたテーパ状の内周面を有するように形成されている。
【００５９】  温度測定孔２３には、そのテーパ状の内周面に対応するテーパ状の外周面を有する温度測定駒２４が嵌め込まれるようになっている。温度測定駒２４は、熱伝導性の良好な金属である銅製のもので構成されており、その軸心部には図示しない温度センサ（例えば熱電対やサーミスタ）の温度測定部をねじ込んで固定するためのネジ孔２４ａが形成されている。なお、温度測定駒２４には、その外周面に平行な一対の面取部２４ｂが形成されている。
【００６０】  上記のように構成された球状食品焼き上げ用電気加熱式鉄板装置１においては、上面２ａから下面２ｂまでの厚さが所定の厚さに形成された鋳鉄製の鉄板部２を備え、鉄板部２の上面２ａにたこ焼Ｗを焼き上げるための複数の凹部２１が形成されているので、各凹部２１の周囲には鋳鉄が密に充填された状態になっている。このため、凹部２１の周囲の重量が増大し、当該凹部２１の周囲の熱容量が大きな状態になる。因みに、熱容量は、比熱×重量によって表すことができ、温度を１℃上昇させるための熱量に相当する。このため、凹部２１の周囲の部分は、熱容量の増大により、温度が上昇しにくくなるが、一旦温度が上昇した場合にはその温度が低下しにくくなる。
【００６１】  従って、たこ焼Ｗの焼き上げの初期において、当該凹部２１の周囲における鉄板部２の温度の低下を抑えることができるので、当該たこ焼Ｗの焼き上げ時間の短縮を図ることができる。即ち、水分を多く含みかつ低温で保持することが要求されるたこ焼Ｗのタネを凹部２１に入れた際にも、当該凹部２１の周囲の温度低下を極力抑えることができるので、そのたこ焼Ｗの焼き上げ時間の短縮を図ることができる。
【００６２】  しかも、鉄板部２の下面２ｂには伝熱面３ａを密着させるようにして電気加熱部３が結合されており、当該電気加熱部３で発生した熱を鋳鉄の熱伝導を利用して凹部２１に直接的に伝達することができ、温度が低下した凹部２１を元の温度まで短時間で上昇させることができるので、この点からもたこ焼Ｗの焼き上げ時間の短縮を図ることができる。
【００６３】  そして、このように焼き上げ時間の短縮を図ることができることから、焼き上げ過程におけるグルテンの成長を抑えることができ、外周部のサクサク感に優れたたこ焼Ｗを得ることができる。
【００６４】  また、鉄板部２は鋳鉄製であり、表面が鋳肌面によって形成されたものであるが、下面２ｂが機械加工により平面状に形成されているので、その下面２ｂと電気加熱部３の伝熱面３ａとの接触面積（熱伝達面積）の向上を図ることができる。即ち、電気加熱部３から鉄板部２へ伝達する熱量の増大を図ることができるので、凹部２１の周囲を効率よく加熱することができる。従って、焼き上げの初期に低下した凹部２１の周囲温度を短時間で上昇させることができる。よって、この点からもたこ焼Ｗの焼き上げ時間の短縮を図ることができる。
【００６５】  更に、各凹部２１が鉄板部２における長手方向に所定の間隔をおいて複数設けられ、かつ当該鉄板部２における幅方向に所定の間隔をおいて複数設けられており、電気加熱部３には鉄板部２の長手方向に延在し、かつ当該鉄板部２の幅方向に複数列となるように配置された状態となる発熱部３１ａを有する電気ヒータ３１を備えているので、鉄板部２における各凹部２１に対応する部分をより均等に効率よく加熱することができる。従って、たこ焼Ｗを短時間で焼き上げることができると共に、各凹部２１で焼き上げられるたこ焼Ｗの品質がばらつくのを防止することができる。
【００６６】  更にまた、鋳鉄に比して熱伝導率の大きな上板部３２及び下板部３３のうち下板部３３の合せ面３３ａに形成された溝３３1に電気ヒータ３１の発熱部３１ａが嵌め込まれるようになっているので、当該電気ヒータ３１で発生した熱のほぼ全てを上板部３２及び下板部３３に確実に伝達することができると共に、当該熱を鉄板部２に熱伝導により直接的に伝達することができる。従って、電気ヒータ３１で発生した熱を効率よく利用して、鉄板部２の凹部２１の周囲を短時間で加熱することができる。
【００６７】  また、互いに重ね合わされた状態の上板部３２と下板部３３とを分割することにより、溝３３1に嵌め込まれた電気ヒータ３１を目視等で容易に確認することができると共に、当該溝３３1に対して電気ヒータ３１を脱着することにより容易に当該電気ヒータ３１の交換を行うことができる。従って、メンテナンス性の向上を図ることができる。
【００６８】  しかも、溝３３1と発熱部３１ａとの間の隙間に熱伝導グリスが充填されているので、電気ヒータ３１の熱をより効率よく上板部３２及び下板部３３に伝達することができる。従って、鉄板部２の凹部２１の周囲をより効率よく短時間で加熱することができる。
【００６９】  更に、鉄板部２の下面２ｂと、電気加熱部３の伝熱面３ａとの間に熱伝導グリスを介在させているので、電気加熱部３から鉄板部２への熱伝導効率の向上を図ることができる。即ち、鉄板部２の凹部２１の周囲を更に効率よく短時間で加熱することができる。
【００７０】  また、鉄板部２の上面２ａにおける長手方向の一端側の縁部に沿って帯状に延在し当該上面２ａより一段高く形成された一端帯状枠部２２ａを有し、当該鉄板部２の上面２ａにおける幅方向の各側縁部に沿って帯状に延在し当該上面２ａより一段高く形成された側縁帯状枠部２２ｂを有しているので、たこ焼Ｗのタネが各凹部２１から上面２ａに溢れ出たような状態となっても、当該たこ焼Ｗのタネが鉄板部２の上面２ａからその長手方向の一端側や、幅方向の各側縁側にこぼれ落ちるのを防止することができる。
【００７１】  しかも、鉄板部２の上面２ａにおける長手方向の一端側とは反対の他端側からは、たこ焼Ｗの焼き上げの際に生じた粕を当該上面２ａに沿ってスムーズに排出することができる。この場合、鉄板部２の上面２ａから各側縁帯状枠部２２ｂが立ち上がった状態になるので、その立上り部をガイドにしてヘラ等を移動することにより、たこ焼Ｗの粕を当該上面２ａからその外方にきれいに掃き出すように排出することができる。
【００７２】  また、たこ焼Ｗの焼き上げの際に凹部２１や上面２ａにひかれた油が次第に一端帯状枠部２２ａ及び各側縁帯状枠部２２ｂを乗り越えてそれらの外方に浸み出すように移動することがあるが、当該一端帯状枠部２２ａ及び各側縁帯状枠部２２ｂのそれぞれの最外縁部に沿って下方に突出する凸条部２２ｃが設けられているので、上記油が鉄板部２や電気加熱部３の側方の外周面に回り込むように移動するのを防止することができる。従って、鉄板部２及び電気加熱部３の外周面等が油で汚れるのを防止することができる。
【００７３】  しかも、各凸条部２２ｃが下方に向けて漸次薄くなるように形成されているので、各凸条部２２ｃの下縁に回り込んだ油を当該縁部から比較的容易に切り離して、当該各凸条部２２ｃの直下位置に落下させることができる。このため、各凸条部２２ｃの直下位置に例えば油受けを設けておくことにより、その落下した油を確実に回収することができ、当該落下した油によって周囲が汚れるのを防止することができる。
【００７４】  また、鉄板部２及び電気加熱部３が一体的に結合された状態で所定の軸４２回りの回転振動によって加振されるようになっており、各凹部２１は、半球未満の球冠状の曲面によって形成された底面部２１ａ及びこの底面部２１ａの上縁から鉄板部２の上面２ａに向けて拡径するように形成された第１の内周面部２１ｂ及びその上側の第２の内周面部２１ｃを有し、かつ鉄板部２の上面２ａから底面部２１ａの最下部までの深さＨが当該底面部２１ａの曲率直径Ｄ１の６／１０〜９／１０に形成されていると共に、当該底面部２１ａの曲率中心Ｃを通り鉄板部２の上面２ａに平行な面Ｐにおける直径Ｄ２が底面部２１ａの曲率直径Ｄ１より大きく形成されているので、凹部２１内に挿入されたたこ焼Ｗのタネはその外周部が徐々に焼き固まるのに連れて、底面部２１ａの曲率中心Ｃ回りに回転し始めることになる。
【００７５】  即ち、鉄板部２が所定の軸回りの回転振動を受けることにより、各凹部２１もその底面部２１ａの曲率中心Ｃ回りとなるような振動変位を受けることになるので、当該凹部２１に挿入されたたこ焼Ｗのタネには底面部２１ａの曲率中心Ｃを中心とする回転駆動力が作用することになる。このため、たこ焼Ｗのタネは、その外周部が徐々に焼き固まるに連れて、底面部２１ａの曲率中心Ｃ回りに回転し、当該底面部２１ａの曲率直径Ｄ１に対応するような径の球形状に焼き上げられることになる。
【００７６】  この場合、凹部２１における鉄板部２の上面２ａから底面部２１ａの最下部までの深さＨが当該底面部２１ａの曲率直径Ｄ１の６／１０〜９／１０に形成されているので、焼き上げられたたこ焼Ｗの直径のうち１／１０〜４／１０程度の部分が鉄板部２の上面２ａから突出した状態になる。このため、その突出した部分を串で刺す等により、焼き上げ後のたこ焼Ｗを凹部２１から容易に取り出すことができる。
【００７７】  しかも、底面部２１ａの曲率中心Ｃを通り鉄板部２の上面２ａと平行な面Ｐにおける凹部２１の直径Ｄ２が底面部２１ａの曲率直径Ｄ１より大きく形成されていると共に、当該底面部２１ａの上側の第１及び第２の内周面部２１ｂ、２１ｃが鉄板部２の上面２ａに向かって拡径するように形成されているので、たこ焼Ｗを凹部２１から容易に取り出することができる。
【００７８】  なお、上記実施形態においては、下板部３３の合せ面３３ａに溝３３1を形成した例を示したが、図６に示すように、上板部３２の合せ面３２ａに溝３３1を形成するように構成してもよい。但し、この場合でも、図６（ｂ）、（ｃ）に示すように、下板部３３に、貫通孔３３ｂを設けることになる。また、上板部３２については、溝３３1の形成が可能な厚さの厚いものを用いることが必要になり、下板部３３については、溝３３1を形成しないことから厚さの薄いものを用いることが可能になる。
【００７９】  また、溝３３1については、上板部３２及び下板部３３の双方の合せ面３２ａ、３２ｂに設けるように構成してもよい。但し、貫通孔３３ｂについては、下板部３３に設けることになる。
【００８０】  更に、上記実施形態や図６等で示す下板部３３の下面については、断熱板で覆うように構成してもよい。この場合には、当該下板部３３の下面から放射等により、熱が逃げるのを防止することができるので、鉄板部２をより効率よく加熱することができる。
【００８１】  次に、図１、図７〜図１０を参照しつつ、本発明の一実施形態における球状食品焼き上げ用電気加熱式鉄板装置を稼働させる球状食品焼き上げ機本体の概要を説明する。図９及び図１０では、球状食品焼き上げ機本体を形成する外枠の一部を除いて内部の構造が見えるように描写している。  なお、これらの図において、複数個存在する同一の部位については、一つの部位のみに番号を付しているところもある。説明の便宜上、所定の部位やこの引き出し線を、破線や想像線（二点鎖線）で示しているところもある。
【００８２】  図７に示すとおり、球状食品焼き上げ機本体Ｂは、図１に示す球状食品焼き上げ用電気加熱式鉄板装置１を用いて食品を焼き上げるための機器が搭載されている箱状の装置で、球状食品焼き上げ用電気加熱式鉄板装置１を搭載するために設けられた本体上部Ｂ１と、球状食品焼き上げ用電気加熱式鉄板装置を稼働させるために本体上部Ｂ１の下方に一体的に設けられた本体下部Ｂ２とを備えている。
【００８３】  図７及び図８に示すとおり、本体下部Ｂ２には、図１に示す状食品焼き上げ用電気加熱式鉄板装置１の加熱や振動を制御する電装部５と、球状食品焼き上げ用電気加熱式鉄板装置１に備えた鉄板部２を振動させる振動部６とが設けられている。電装部５と振動部６とは、本体下部Ｂ２で区分けされた領域にそれぞれ設置されている。
【００８４】  図７に示すとおり、電装部５は、球状食品焼き上げ機本体Ｂを稼働させる電源スイッチ５１と、図１に示す鉄板部２の温度を設定する温度調節器５２と、振動部６を稼働させる振動スイッチ５３とを有する。  温度調節器５２は、鉄板部２に備えた電気ヒータ３１に電気を送ったり、設定した温度を維持したりするものである。温度調節器５２は、鉄板部２の所定の個所に接続された温度センサー（図示しない）で測定した鉄板部２の温度に基づいて電気ヒータ３１の温度を制御している。  振動スイッチ５３は、振動部６の振動数及び振動時間、並びに振動数６を振動させるタイミングをシーケンサ（図示しない）で制御している。  なお、電源スイッチ５１・温度調節器５２・振動スイッチ５３の設置位置や詳細な仕様に限定はない。
【００８５】  図８〜図１０に示すとおり、振動部６は、図１に示す鉄板部２を振動させる振動装置６１（上述した加振動装置４と同等）と、振動装置６１を本体下部Ｂ２に搭載するために設けられた振動装置外枠６２と、振動装置外枠６２の裏面に設けられた振動補助部６３と、振動補助部６３の下方に敷かれた所定の板材を介して設けられた振動防止部６４とを有する。  振動装置６１は、例えば、振動モータが該当し、振動スイッチ５３から振動の開始・終了、振動数、振動時間、及び振動のタイミングを制御されるものである。  振動装置外枠６２は、板材にて振動装置６１を外側から囲うように箱状に形成されたものである。振動装置外枠６２の上端は、図１に示す球状食品焼き上げ用電気加熱式鉄板装置１と連結するために本体上部Ｂ１から突き出ている。振動装置外枠６２の裏面は、平面状である。  振動補助部６３は、振動装置６１の振動に伴う振動装置外枠６２の振動が図１に示す鉄板部２に伝わるように振動伝達効率を向上させるもので、例えば、バネ、ゴム、又はダンパが該当し、振動装置外枠６２の裏面の四隅にそれぞれ設けられている。  振動防止部６４は、振動装置外枠６２の振動に伴う振動補助部６３の振動が電装部５を含む本体下部Ｂ２に伝わらないように振動伝達効率を減退させるもので、例えば、バネ、ゴム、又はダンパが該当し、振動補助部６３の下方に敷かれた所定の板材と本体下部Ｂ２の底面との間かつ四隅にそれぞれ設けられている。
【００８６】  球状食品焼き上げ機本体Ｂの使用方法としては、例えば以下の流れである。  まず、図１に示す球状食品焼き上げ用電気加熱式鉄板装置１を本体上部Ｂ１に設置すると共に、電装部５で鉄板部及び振動部６を制御可能な状態にする。  次に、電装部５の電源スイッチ５１で温度調節器５２及び振動部６を稼働可能な状態にし、温度調節器５２で鉄板部２を食品の焼き上げに必要な温度に調節する。その後、食品の具材等を鉄板部に流し込み、所定の時間焼き上げる。  そして、食品のうち鉄板部２に接している部分が焼き上がった時点で、電装部５の振動スイッチ５３にて振動装置６１の振動数及び振動時間を設定する。振動装置外枠６２を介して鉄板部２を振動させると、食品が鉄板部２内で振動しながら回転し、設定した振動装置６１の振動時間経過後、所望の状態に焼きあがる。
【００８７】  このような球状食品焼き上げ機本体Ｂの構成及び球状食品焼き上げ機本体Ｂの使用方法により、図１に示す鉄板部２の熱及び振動が食品全体に均等に伝わるため、食品の焼き上げ時間の短縮が実現する。
【符号の説明】
【００８８】  １  球状食品焼き上げ用電気加熱式鉄板装置  ２  鉄板部  ２ａ  上面  ２ｂ  下面  ３  電気加熱部  ３ａ  伝熱面  ２１  凹部  ２１ａ  底面部  ２１ｂ  第１の内周面部（内周面部）  ２１ｃ  第２の内周面部（内周面部）  ２２ａ  一端帯状枠部  ２２ｂ  側縁帯状枠部  ２２ｃ  凸条部  ３１  電気ヒータ  ３１ａ  発熱部  ３２  上板部  ３２ａ、３３ａ  合せ面  ３３  下板部  ４２  所定の軸  ３３１  溝  Ｃ  底面部の曲率中心  Ｄ１  底面部の曲率直径  Ｄ２  上面と平行な面における直径  Ｈ  深さ  Ｐ  上面と平行な面  Ｗ  球状食品（たこ焼）  Ｂ  球状食品焼き上げ機本体  ５  電装部  ６  振動部
【図１】
2018203458.tif 000003
【図２】
2018203458.tif 000004
【図３】
2018203458.tif 000005
【図４】
2018203458.tif 000006
【図５】
2018203458.tif 000007
【図６】
2018203458.tif 000008
【図７】
2018203458.tif 000009
【図８】
2018203458.tif 000010
【図９】
2018203458.tif 000011
【図１０】
2018203458.tif 000012
【国際調査報告】
2018203458.tif 000013
2018203458.tif 000014
2018203458.tif 000015
2018203458.tif 000016